(57)【要約】【課題】キャパシタを備えた電源装置をオンとオフとに切り替えるときに、突入電流を低減させることで電力消費量を削減することを目的とする。【解決手段】電源部３と入力キャパシタ５や平滑キャパシタ２５等のキャパシタと負荷２とを備える電源装置であって、キャパシタに蓄積された電荷を保存するための保存キャパシタ３１を複数有し、各保存キャパシタ３１を並列と直列とに接続態様を切り替え可能な可変容量部１２と、キャパシタに蓄積された電荷を保存キャパシタ３１に保存するときには、キャパシタと可変容量部１２との間を接続し且つ可変容量部１２の各保存キャパシタ３１を並列に接続し、保存した電荷をキャパシタに戻すときには、キャパシタと可変容量部１２との間を接続し且つ各保存キャパシタ３１を直列に接続するように制御する接続制御部３１と、を備えている。【選択図】  図１
2011097799.tif 000002
【特許請求の範囲】
【請求項１】
電圧を出力する電源部とこの電源部から出力される電圧を入力するキャパシタと前記電源部または前記キャパシタから出力される電圧を入力する負荷とを備える電源装置であって、
前記キャパシタに蓄積された電荷を保存するための保存キャパシタを複数有し、各保存キャパシタを並列と直列とに接続態様を切り替え可能な可変容量部と、
前記キャパシタに蓄積された電荷を前記保存キャパシタに保存するときには、前記キャパシタと前記可変容量部との間を接続し且つ前記可変容量部の各保存キャパシタを並列に接続し、保存した電荷を前記キャパシタに戻すときには、前記キャパシタと前記可変容量部との間を接続し且つ前記各保存キャパシタを直列に接続するように制御する接続制御部と、
を備えたことを特徴とする電源装置。
【請求項２】
複数の前記キャパシタと、
前記可変容量部と各キャパシタとの間を接続した状態とし、前記可変容量部から各キャパシタに電流を流すための経路に設けられるダイオードと、
を備えたことを特徴とする請求項１記載の電源装置。
【請求項３】
前記電源部から出力された電圧をパルス状の電圧として出力する電源制御部と、
この電源制御部から出力されるパルス状の電圧を平滑化する平滑回路と、
を備え、
前記各キャパシタは、前記平滑回路に設けられる平滑キャパシタおよび前記電源部から出力される電圧を入力して前記電源制御部に出力する入力キャパシタであり、
前記ダイオードは前記電源制御部の入力と出力とを接続する経路に設けたこと
を特徴とする請求項２記載の電源装置。
【請求項４】
請求項１乃至３の何れか１項に記載の電源装置を備えたことを特徴とする半導体試験装置。
【発明の詳細な説明】
【技術分野】
【０００１】
本発明は、負荷に対して電圧を入力するための電源装置およびこの電源装置を備えた半導体試験装置に関するものである。
【背景技術】
【０００２】
負荷に対して電圧を入力する電源装置は種々用いられており、例えば入力する電圧を変換する電源装置として非絶縁ＤＣ・ＤＣコンバータが用いられている。図５は電源装置として非絶縁ＤＣ・ＤＣコンバータを適用した一例を示している。電源装置１０１には負荷１０２が接続されており、負荷１０２に電圧を入力している。負荷１０２は電圧を入力する対象物であり、例えば半導体試験装置における半導体ウェハ等が負荷１０２になる。
【０００３】
電源装置１０１は電源部１０３とスイッチ１０４と入力キャパシタ１０５とイネーブル信号出力部１０６とクロック信号出力部１０７と電源制御部１０８と平滑回路１０９とを備えて概略構成している。なお、図５において、イネーブル信号出力部は単に「イネーブル信号」として、クロック信号出力部は単に「クロック信号」として示している。
【０００４】
電源部１０３は負荷１０２に入力するための電圧を出力している。スイッチ１０４は電源部１０３の出力側に設けられており、接続（オン）しているときには電圧を出力し、開放（オフ）しているときには電圧を出力させない。入力キャパシタ１０５はスイッチ１０４と電源制御部１０８との間の経路に一端が接続され、他端が接地されているキャパシタである。
【０００５】
イネーブル信号出力部１０６は電源制御部１０８を動作させるか否かを示すイネーブル信号を出力する。イネーブル信号がイネーブルレベルのときには電圧を出力させ、ディゼーブルレベルのときには電圧を出力させないようにしている。クロック信号出力部１０７は所定周波数のクロック信号を電源制御部１０８に出力しており、電源制御部１０８はクロック信号のタイミングで動作を行う。
【０００６】
電源制御部１０８は第１のＦＥＴ１２１と第２のＦＥＴ１２２とＦＥＴ制御部１２３とを有しており、出力する電圧のスイッチングを行っている。第１のＦＥＴ１２１および第２のＦＥＴ１２２は交互にパルス状の電圧をクロック信号に同期したタイミングで出力させている。このタイミング制御をＦＥＴ制御部１２３が行う。
【０００７】
平滑回路１０９はチョークコイル１２４と平滑キャパシタ１２５とを備えて概略構成している。電源制御部１０８から出力されたパルス状の電圧は平滑回路１０９により平滑化されて、所定の電圧に変換される。そして、平滑化された電圧が負荷１０２に入力される。
【０００８】
以上のような構成を持つ非絶縁ＤＣ・ＤＣコンバータの一例が特許文献１に開示されている。この技術では過電流保護動作判定部を備えており、過電流保護機能が作動する閾値の制度を向上させている。
【先行技術文献】
【特許文献】
【０００９】
【特許文献１】特開２００２−８４７４２号公報
【発明の概要】
【発明が解決しようとする課題】
【００１０】
電源装置１０１は負荷２に対して常に電圧を入力することも可能であるが、例えば半導体試験装置に用いるような場合には、試験を行うときにのみ電圧を入力できればよく、それ以外の時間は電源装置１０１を停止させてもよい。特に、近年では環境対策が重視されており、省エネルギー化の観点から消費電力量の削減が求められている。このため、電源装置１０１は必要なときのみ稼動状態（オン）にし、不要なときは停止状態（オフ）にする。
【００１１】
図５のような構成の場合には、スイッチ１０４をオンとオフとに切り替えることにより、またはイネーブル信号をイネーブルレベルとディゼーブルレベルとに変化させることにより、電源装置１０１のオンとオフとの制御を行うことができる。このとき、電源装置１０１には入力キャパシタ１０５と平滑キャパシタ１２５とが備えられており、各キャパシタには電荷が蓄積される。そして、電源装置１０１をオフにしたときには、各キャパシタに蓄積されていた電荷は放電されて電源制御部１０８や負荷１０２等の他の回路で消費される。
【００１２】
従って、電源装置１０１の回路中にキャパシタを設けており、当該キャパシタに充電するような構成となっている場合に、電源装置１０１をオンからオフに切り替えると、キャパシタに蓄積された電荷は放電されて他の回路等で消費されるようになる。この電荷の消費は本来的な目的である負荷２に対する電圧入力とは無関係であり、つまり無駄な消費になる。
【００１３】
そして、再び電源装置１０１をオフからオンに切り替えたときには、入力キャパシタ１０５や平滑キャパシタ１２５といったキャパシタは放電されていることから、再充電しなければならない。そして、充電完了後に負荷１０２に対して電圧を入力することが可能になる。このため、電源装置１０１をオンにしたときには、電源部１０３から大きな突入電流が入力キャパシタ１０５や平滑キャパシタ１２５に流れることになる。
【００１４】
この突入電流は電源装置１０１をオフにしている間に入力キャパシタ１０５や平滑キャパシタ１２５等の他の回路から失われる電荷を再充電するために必要な電流であり、本来なら不要な電流である。つまり、この場合の突入電流は負荷１０２のために用いられるものではなく、無駄に損失した電荷を補填するために出力する電流である。この突入電流を流すためには所定の電力が必要になり、不必要な電力消費を招来する。
【００１５】
そして、電源装置１０１を繰り返しオンとオフとに切り替える場合には、オフからオンに切り替える毎に放電したキャパシタの充電を行うための突入電流が必要になり、無駄な電力消費量が非常に大きなものになる。これにより、電力の利用効率が大幅に低下し、省エネルギー化という要請を充足できなくなる。
【００１６】
そこで、本発明は、キャパシタを備えた電源装置をオンとオフとに切り替えるときに、突入電流を低減させることで電力消費量を削減することを目的とする。
【課題を解決するための手段】
【００１７】
以上の課題を解決するため、本発明の請求項１の電源装置は、電圧を出力する電源部とこの電源部から出力される電圧を入力するキャパシタと前記電源部または前記キャパシタから出力される電圧を入力する負荷とを備える電源装置であって、前記キャパシタに蓄積された電荷を保存するための保存キャパシタを複数有し、各保存キャパシタを並列と直列とに接続態様を切り替え可能な可変容量部と、前記キャパシタに蓄積された電荷を前記保存キャパシタに保存するときには、前記キャパシタと前記可変容量部との間を接続し且つ前記可変容量部の各保存キャパシタを並列に接続し、保存した電荷を前記キャパシタに戻すときには、前記キャパシタと前記可変容量部との間を接続し且つ前記各保存キャパシタを直列に接続するように制御する接続制御部と、を備えたことを特徴とする。
【００１８】
この電源装置によれば、キャパシタに蓄積された電荷を可変容量部に保存でき、そして元のキャパシタに戻すことができる。可変容量部に電荷を保存するときには、複数の保存キャパシタは並列接続されるように制御していることから、キャパシタに蓄積された多くの電荷を保存することができる。そして、保存した電荷を元のキャパシタに戻すときには、複数の保存キャパシタは直列接続されるように制御していることから、保存した電荷の多くを元に戻すことができるようになる。
【００１９】
本発明の請求項２の電源装置は、請求項１記載の電源装置であって、複数の前記キャパシタと、前記可変容量部と各キャパシタとの間を接続した状態とし、前記可変容量部から各キャパシタに電流を流すための経路に設けられるダイオードと、を備えたことを特徴とする。
【００２０】
この電源装置によれば、複数のキャパシタが設けられるような場合に、可変容量部とキャパシタとの間或いはキャパシタ間に電荷を戻すための電流を阻害するような回路が存在していたとしても、ダイオードを設けることにより、電荷を元に戻すことができるようになる。
【００２１】
本発明の請求項３の電源装置は、請求項２記載の電源装置であって、前記電源部から出力された電圧をパルス状の電圧として出力する電源制御部と、この電源制御部から出力されるパルス状の電圧を平滑化する平滑回路と、を備え、前記各キャパシタは、前記平滑回路に設けられる平滑キャパシタおよび前記電源部から出力される電圧を入力して前記電源制御部に出力する入力キャパシタであり、前記ダイオードは前記電源制御部の入力と出力とを接続する経路に設けたことを特徴とする。
【００２２】
この電源装置によれば、電源制御部と平滑回路とを設けた非絶縁ＤＣ・ＤＣコンバータに適用した場合に、平滑キャパシタおよび入力キャパシタに蓄積された電荷を保存し、戻すことができるようになる。これにより、無駄な電力消費をすることがなくなる。
【００２３】
本発明の請求項４の半導体試験装置は、請求項１乃至３の何れか１項に記載の電源装置を備えたことを特徴とする。
【００２４】
前述の電源装置は、半導体試験装置に適用することができる。例えば、半導体ウェハに多数配列されたチップの試験を行う半導体試験装置は、複数の試験部を備えることにより同時に多数のチップを試験できる。そして、各試験部に搭載した電源装置は稼動と停止とによりオンとオフとを切り替えており、電源装置を使用しない場合には電荷を保存することで、無駄な電力消費を抑制することができる。
【発明の効果】
【００２５】
本発明は、電源装置にキャパシタが備えられているような場合に、キャパシタに蓄積されていた電荷を可変容量部に保存して、キャパシタに戻すことができるようになる。可変容量部に電荷を保存するときには、保存キャパシタを並列に接続させることで多くの電荷を保存でき、キャパシタに電荷を戻すときには、保存キャパシタを直列に接続することで多くの電荷を戻すことができるようになる。これにより、電源装置をオフにしたとしても、突入電流を低減させることができ、消費電力を削減できるようになる。
【図面の簡単な説明】
【００２６】
【図１】電源装置の概略構成を示すブロック図である。
【図２】可変容量部の構成を説明したブロック図である。
【図３】変形例における電源装置の概略構成を示すブロック図である。
【図４】電源装置を応用した半導体試験装置の一例を示す構成図である。
【図５】従来の電源装置の概略構成を示すブロック図である。
【発明を実施するための形態】
【００２７】
以下、本発明の実施形態について説明する。図１において、本発明の電源装置１は負荷２に接続した構成としている。なお、負荷２は自由に接離することが可能になっている。電源装置１は負荷２に対して電圧を入力する電源である。図１の電源装置１は非絶縁ＤＣ・ＤＣコンバータを例示しているが、負荷２に電圧や電流を入力するものであれば任意の電源装置（例えば、絶縁型ＤＣ・ＤＣコンバータやＡＣ・ＤＣコンバータ等）を適用できる。ただし、電源装置１には電荷を蓄積するキャパシタを備えていることが条件となる。
【００２８】
負荷２は電源装置１が電圧を入力する対象物である。例えば、後述する半導体試験装置における被試験デバイスである半導体ウェハ等が負荷２になる。電源装置１は前述したように非絶縁ＤＣ・ＤＣコンバータであり、この場合には、直流電圧の変換を行って出力するようにしている。
【００２９】
電源装置１は電源部３と第１スイッチ４と入力キャパシタ５とイネーブル信号出力部６とクロック信号出力部７と電源制御部８と平滑回路９と第２スイッチ１０と第３スイッチ１１と可変容量部１２と接続制御部１３とを備えて概略構成している。なお、図１において、イネーブル信号出力部を単に「イネーブル信号」として、クロック信号出力部を単に「クロック信号」として示している。
【００３０】
電源部３は負荷２に入力する電圧の元となる電圧（変換前の電圧）を出力している。電源部３は自身が電圧の供給源となっているものでもよいが、他の電源（例えば、後述する電源モジュール等）から供給された電圧を出力するようにしてもよい。
【００３１】
第１スイッチ４は電源部３の出力側に設けられており、オン（接続）のときには電源部３から電圧を出力させ、オフ（開放）のときには電圧を出力させないようにしている。入力キャパシタ５は第１スイッチ４と電源制御部８とを結ぶ経路に一端が接続され、他端が接地されたキャパシタである。この入力キャパシタ５は電源部３から出力された電圧を入力して、電源制御部８に出力する。つまり、電源部３から出力される電圧は直接的に電源制御部８に入力されるのではなく、入力キャパシタ５を介して電源制御部８に入力される。
【００３２】
イネーブル信号出力部６はイネーブル信号を出力する。イネーブル信号は電源制御部８を稼動または停止させるための制御信号であり、イネーブルレベルのときには電源制御部８を稼動させ、ディゼーブルレベルのときには停止させる。また、クロック信号出力部７はクロック信号を出力する。クロック信号は電源制御部８の動作周波数を規定するための信号である。
【００３３】
従って、負荷２に対する電圧入力を行うか否か（つまり、電源装置１を稼動するか停止するか（オンにするかオフにするか））を設定する方法は２つある。１つ目はイネーブル信号をイネーブルレベルとディゼーブルレベルとに切り替える方法であり、２つ目は第１スイッチ４をオンとオフとに切り替える方法である。ただし、第１スイッチ４の制御によりイネーブル信号は変化しており、第１スイッチ４をオンにしたときには同時にイネーブル信号はイネーブルレベルに変化し、第１スイッチ４をオフにしたときには所定時間Ｔ１の経過後にイネーブル信号がディゼーブルレベルに変化するようにしている。一方、イネーブル信号の制御を行ったとしても、第１スイッチ４のオンとオフとは左右されない。
【００３４】
電源制御部８はパルス状の電圧を出力するように制御しており、第１のＦＥＴ２１と第２のＦＥＴ２２とＦＥＴ制御部２３とを備えて概略構成している。第１のＦＥＴ２１および第２のＦＥＴ２２は入力キャパシタ５から出力されるエネルギーを入力して、交互にパルス状の電圧を出力する。第１のＦＥＴ２１および第２のＦＥＴ２２は電界効果型トランジスタ（主にＭＯＳＦＥＴ）を適用しているが、これ以外の手段を用いてもよい。
【００３５】
第１のＦＥＴ２１と第２のＦＥＴ２２とはＦＥＴ制御部２３の制御により、スイッチをオンとオフとに高速に切り替えるスイッチング動作を行う。ＦＥＴ制御部２３にはイネーブル信号が入力されており、ディゼーブルレベルのときには第１のＦＥＴ２１および第２のＦＥＴ２２の何れからもパルス状の電圧を出力させない。一方、イネーブルレベルのときには、第１のＦＥＴ２１と第２のＦＥＴ２２とから交互にパルス状の電圧を出力させる。パルス状の電圧の出力タイミングはクロック信号に同期したタイミングになる。
【００３６】
電源制御部８から出力されるパルス状の電圧は平滑回路９に入力される。このパルス状の電圧は時間的に不均一な電圧であり、平滑回路９はこの電圧を平滑化しており、これにより電源部３が出力した電圧を所定の電圧に変換している。このために、平滑回路９はチョークコイル２４と平滑キャパシタ２５とを備えて概略構成している。チョークコイル２４は電源制御部８の出力端に接続されており、平滑キャパシタ２５はチョークコイル２４の出力側の経路に一端が接続され、他端が接地されている。
【００３７】
第２スイッチ１０は平滑回路９の出力側に設けられており、負荷２と可変容量部１２とのうち何れか一方を接続する。第２スイッチ１０はイネーブル信号に基づいてスイッチング制御を行っており、イネーブルレベルのときには負荷２に接続し、ディゼーブルレベルのときには可変容量部１２に接続する。
【００３８】
第３スイッチ１１は可変容量部１２と平滑回路９とを接続する経路に設けられている。第３スイッチ１１もイネーブル信号に基づいてスイッチング制御を行っており、イネーブル信号がディゼーブルレベルからイネーブルレベルに変化したときに所定時間（Ｔ２）の間だけスイッチをオン（接続）にし、それ以外の時間はスイッチをオフ（開放）にする制御を行っている。
【００３９】
可変容量部１２について説明する。図２に示すように、可変容量部１２はＮ（Ｎは自然数）個の保存キャパシタ３１−１〜３１−Ｎ（総称して保存キャパシタ３１）と２×Ｎ個の接続変更スイッチ３２−１〜３２−２Ｎ（総称して接続変更スイッチ３２）とを備えて概略構成している。また、第２スイッチ１０が可変容量部１２に接続されているとき、または第３スイッチ１１がオンになっているときには可変容量部１２は平滑キャパシタ２５と接続された状態になる。そして、可変容量部１２にはイネーブル信号が入力されている。
【００４０】
各保存キャパシタ３１は平滑キャパシタ２５と同じ静電容量を有しており、先頭の保存キャパシタ３１−１および最後の保存キャパシタ３１−Ｎを除き、両端が接続変更スイッチ３２に接続されている。先頭の保存キャパシタ３１−１は一端が接地されており、他端が接続変更スイッチ３２−１に接続されている。また、最後の保存キャパシタ３１−Ｎは一端が平滑キャパシタ２５に接続されており、他端が接続変更スイッチ３２−２Ｎに接続されている。
【００４１】
接続変更スイッチ３２は保存キャパシタの２倍の数を設けており、奇数番目の接続変更スイッチ３２は隣接する接続変更スイッチ３２と平滑キャパシタ２５とのうち何れか一方に接続し、偶数番目の接続変更スイッチ３２は隣接する接続変更スイッチ３２とグランド（接地）とのうち何れか一方に接続する。
【００４２】
各接続変更スイッチ３２はイネーブル信号に基づいてスイッチング制御がされている。イネーブル信号がディゼーブルレベルのときには、奇数番目の接続変更スイッチ３２は平滑キャパシタ２５と接続し、偶数番目の接続変更スイッチ３２はグランドに接続する（接地する）。これにより、各保存キャパシタ３１は一端が平滑キャパシタ２５に接続され、他端が接地された状態になり、Ｎ個の保存キャパシタ３１が並列接続された状態になる。
【００４３】
一方、イネーブル信号がイネーブルレベルのときには、奇数番目および偶数番目の接続変更スイッチ３２はそれぞれ隣接する接続変更スイッチ３２と接続される。これにより、保存キャパシタ３１−１および３１−Ｎを除いた他の保存キャパシタ３１は相互に接続される。そして、保存キャパシタ３１−１は一端が接地され、保存キャパシタ３１−Ｎは一端が平滑キャパシタ２５に接続される。従って、Ｎ個の保存キャパシタ３１は直列接続された状態になる。つまり、各接続変更スイッチ３２はイネーブル信号に基づいて、各保存キャパシタ３１の接続態様を並列接続と直列接続とに切り替えを行っている。
【００４４】
図１に戻って、接続制御部１３について説明する。接続制御部１３は電源装置１に設けられる各部の接続関係の制御を行っており、具体的には各スイッチの制御を行っている。また、接続制御部１３はイネーブル信号出力部６の制御も行っており、イネーブル信号をイネーブルレベルとディゼーブルレベルとに切り替える制御を行っている。
【００４５】
接続制御部１３は最終的には第１スイッチ４と第２スイッチ１０と第３スイッチ１１と可変容量部１２の各接続変更スイッチ３２とのスイッチング制御を行なっていることになる。ただし、直接的にスイッチング制御を行っているのは第１スイッチ４のみである。第２スイッチ１０と第３スイッチ１１と各接続変更スイッチ３２とはイネーブル信号により間接的にスイッチング制御を行なっていることになる。
【００４６】
そして、接続制御部１３は入力キャパシタ５や平滑キャパシタ２５に蓄積された電荷を保存するために、また保存した電荷を入力キャパシタ５や平滑キャパシタ２５に戻すために、各部の接続関係を変更するために設けている。接続制御部１３は、基本的には電源装置１をオフからオンにするとき、または電源装置１をオンからオフにするときに、電荷を保存するかキャパシタに戻すかの制御を行っている。ただし、電源装置１をオンとオフとに切り替えたタイミングで接続関係を変更する場合もあるが、所定の時間が経過するのを待って接続関係を変更する場合もある。この制御を接続制御部１３が行っている。
【００４７】
以上が概略構成である。次に、動作について説明する。電源装置１は常に負荷２に電圧を入力することもできるが、不要なときには電圧入力を停止している。つまり、必要なときにのみ負荷２に電圧を入力している。これにより、消費電力を低減させている。そして、電源装置１は少なくとも２回は稼動状態（オン）と停止状態（オフ）とを切り替えるようにしており、従ってオンとオフとの切り替え動作は繰り返し行われる。
【００４８】
負荷２に対して電圧の入力を行っているときには、第１スイッチ４がオンになっており、イネーブル信号はイネーブルレベルになっている。このため、電源部３から電圧が出力し、入力キャパシタ５に電圧が入力される。そして、入力キャパシタ５から電源制御部８に電圧が入力される。
【００４９】
ここで、入力キャパシタ５の機能について説明する。電源部３から電源制御部８に直接的に電圧を供給した場合には、電源制御部８のインピーダンスが非常に高いものになる。このため、入力キャパシタ５に電圧を入力させた後に、入力キャパシタ５から電源制御部８に電圧を入力することで、インピーダンスの問題を回避している。
【００５０】
電源制御部８は入力キャパシタ５から電圧を入力して、第１のＦＥＴ２１および第２のＦＥＴ２２によりパルス状の電圧（時間的に不均一な電圧）を出力する。そして、出力されたパルス状の電圧は平滑回路９により平滑化されて、所定の電圧に変換される。このときには第２スイッチ１０は負荷２に接続されていることから、平滑回路９で平滑化された電圧が負荷２に入力される。これにより、非絶縁ＤＣ・ＤＣコンバータとして機能する電源装置１は電源部３の電圧（直流電圧）を所定の電圧（直流電圧）に変換して、負荷２に入力することが可能になる。
【００５１】
次に、負荷２に電圧を入力する必要がない時間帯には電源装置１をオンからオフにする。このための方法としては、イネーブル信号をディゼーブルレベルに変化させる方法と第１スイッチ４をオフにする方法との２つがあることは既に述べたとおりである。まず、イネーブル信号を変化させる場合について説明する。
【００５２】
接続制御部１３はイネーブル信号出力部６から出力するイネーブル信号をイネーブルレベルからディゼーブルレベルに変化させる。これにより、電源制御部８の第１のＦＥＴ２１および第２のＦＥＴ２２は動作を停止し、電圧が出力されなくなる。これにより、負荷２に対して不要な電圧を入力しなくなり、電力消費を抑制できる。
【００５３】
ただし、入力キャパシタ５および平滑キャパシタ２５には電荷が蓄積されており、電源装置１をオフにしている間に蓄積した電荷が放電して、電源制御部８や負荷２等の他の回路で消費されるおそれがある。入力キャパシタ５および平滑キャパシタ２５に蓄積される電荷は突入電流により充電される電荷であり、各キャパシタが放電されて電荷が蓄積されていなければ、突入電流を供給して充電する必要がある。
【００５４】
つまり、この場合には、電源装置１を再びオンにしたときに各キャパシタを再充電するための突入電流が必要になる。この突入電流のために必要な電力は負荷２に対して供給されるのではなく、あくまでも入力キャパシタ５や平滑キャパシタ２５といったキャパシタを充電するための電力である。そして、キャパシタから放電された電荷は他の回路により無駄に消費されており、その分の余計な電力が消費されることになる。
【００５５】
そこで、本発明では、電源装置１をオフにするときに、キャパシタに蓄積された電荷を可変容量部１２に一時的に保存し、電源装置１を再びオンにするときに、保存した電荷をキャパシタに戻すようにしている。このために、接続制御部１３の制御により、イネーブル信号をイネーブルレベルからディゼーブルレベルに変化させたときに第２スイッチ１０は負荷２から可変容量部１２に接続を切り替えている。これにより、平滑キャパシタ２５と可変容量部１２とが接続された状態になる。
【００５６】
しかも、イネーブル信号がディゼーブルレベルに変化したときには、可変容量部１２の接続変更スイッチ３２が切り替わることにより、Ｎ個の保存キャパシタ３１が並列接続され状態になる。そして、各保存キャパシタ３１と平滑キャパシタ２５とが接続されていることから、平滑キャパシタ２５に蓄積された電荷は各保存キャパシタ３１に分配される。
【００５７】
保存キャパシタ３１と平滑キャパシタ２５とは同じ静電容量を持たせている。そして、Ｎ個の保存キャパシタ３１と平滑キャパシタ２５とは直列に接続されており、Ｎ個の保存キャパシタ３１は並列に接続されている。従って、平滑キャパシタ２５に蓄積されていた電荷をＱ１とすると、このＱ１は「Ｎ：１」の割合でＮ個の保存キャパシタ３１と平滑キャパシタ２５とに分配される。
【００５８】
従って、Ｎ個の保存キャパシタ３１の全体、つまり可変容量部１２に分配される電荷Ｑ２は（Ｎ／（Ｎ＋１））になり、つまりＱ２＝（Ｎ／（Ｎ＋１））×Ｑ１になる。一方、平滑キャパシタ２５に残存する電荷Ｑ３はＱ３＝（１／（Ｎ＋１））×Ｑ１になる。保存キャパシタ３１の個数Ｎは任意に設定してもよいが、個数Ｎを大きくすることにより、より多くの電荷を可変容量部１２に移行することができる。
【００５９】
以上により、平滑キャパシタ２５の電荷を可変容量部１２に一時的に移行して保存することができる。次に、接続制御部１３を制御してイネーブル信号をディゼーブルレベルからイネーブルレベルに変化させる。これにより、電源制御部８が再稼動するため、電源装置１はオフからオンに切り替わる。イネーブル信号がイネーブルレベルに変化すると、第２スイッチ１０は可変容量部１２から負荷２に接続を切り替え、第３スイッチ１１はオンに切り替える。
【００６０】
第３スイッチ１１がオンになることにより、可変容量部１２と平滑キャパシタ２５とが接続される。同時に、イネーブル信号がイネーブルレベルに変化しているため、可変容量部１２の各接続変更スイッチ３２は各保存キャパシタ３１を直列接続するようにスイッチング制御を行う。Ｎ個の保存キャパシタ３１は直列接続されており、しかも各保存キャパシタ３１と平滑キャパシタ２５との静電容量が同じであることから、可変容量部１２（Ｎ個の保存キャパシタ３１）と平滑キャパシタ２５との静電容量の比率は「１：Ｎ」になる。つまり、平滑キャパシタ２５は可変容量部１２のＮ倍の静電容量を持つことになる。
【００６１】
そして、可変容量部１２はＱ２の電荷を保存しており、Ｑ２の電荷の配分としては、平滑キャパシタ２５の電荷Ｑ４＝（Ｎ／（Ｎ＋１））×Ｑ２になり、可変容量部１２の電荷Ｑ５はＱ５＝（１／（Ｎ＋１））×Ｑ２になる。そして、可変容量部１２が蓄積していた電荷Ｑ２はＱ２＝（Ｎ／（Ｎ＋１））×Ｑ１であることから、平滑キャパシタ２５に戻される電荷Ｑ４はＱ４＝（Ｎ２／（Ｎ＋１）２）×Ｑ１になる。
【００６２】
例えば、Ｎ＝９とすると、Ｑ４＝０．８１×Ｑ１になり、Ｑ１はもともと平滑キャパシタ２５が蓄積していた電荷であることから、８１％の電荷を保存して元に戻すことができるようになる。つまり、本発明のように電荷の保存を行わない場合には、最初から充電を行う必要があることから所定の突入電流が必要になるが、本発明では残りの１９％の充電を行えばよいため、実に８１％の突入電流を削減できる。これにより、突入電流をおおよそ１／５にすることができ、大幅に消費電力を低減できるようになる。
【００６３】
そして、第３スイッチ１１はイネーブル信号がイネーブルレベルに変化してから時間Ｔ２の経過後に再びオフに切り替わる。この時間Ｔ２は可変容量部１２に保存された電荷を平滑キャパシタ２５に戻すために要する時間に設定することで、可変容量部１２の切り離しを行う。
【００６４】
なお、イネーブル信号がイネーブルレベルに変化したときには、第３スイッチ１１がオンになり、第２スイッチ１０は負荷２に接続される。このため、可変容量部１２に蓄積された電荷は平滑キャパシタ２５だけではなく、負荷２に対しても供給されることがある。この場合には、平滑キャパシタ２５には前述したように８１％もの電荷を戻すことができずに、そのうちの一部が電荷２に対して入力される。
【００６５】
ただし、負荷２で電荷が消費されるとしても、平滑キャパシタ２５には可変容量部１２から電荷が戻されることには変わりはない。従って、その割合はともかく、平滑キャパシタ２５に蓄積されていた電荷の多くを再び平滑キャパシタ２５に戻すことができるようになる。
【００６６】
勿論、可変容量部１２で保存した電荷を負荷２に供給することなく平滑キャパシタ２５に戻すこともできる。このために、イネーブル信号がイネーブルレベルになったと同時に第２スイッチ１０を負荷２に接続するのではなく、時間Ｔ２が経過するまで第２スイッチ１０は可変容量部１２に接続しておく。これにより、保存した電荷は負荷２に供給されることなく、平滑キャパシタ２５に戻すことができる。このときには、第３スイッチ１１およびこのスイッチが設けられている経路は不要になる。
【００６７】
以上の動作を繰り返し行う。電源装置１をオフにするときには、可変容量部１２に平滑キャパシタ２５に蓄積された電荷を保存し、電源装置１をオンにするときには保存した電荷を平滑キャパシタ２５に戻すことで、突入電流を低減でき、消費電力を削減できる。電源装置１のオンとオフとを繰り返すことで、消費電力の削減効果は累積していくことから、頻繁にオンとオフとの切り替えを行う場合には、極めて高い消費電力の削減効果を奏するようになる。
【００６８】
以上はイネーブル信号により電源装置１のオンとオフとの切り替えを行っていたが、第１スイッチ４の制御により電源装置１をオンとオフとに切り替えることもできる。この場合について説明する。
【００６９】
接続制御部１３が第１スイッチ４をオンからオフに切り替えると、イネーブル信号出力部６はイネーブル信号を時間Ｔ１の経過後にディゼーブルレベルに変化させる。従って、第１スイッチ４をオフにしたとしても、直ちに電源制御部８は停止されず、時間Ｔ１の間は稼動している状態になる。
【００７０】
そして、電源制御部８は入力キャパシタ５の電圧を動作源としており、電源部３からの出力がなくとも、入力キャパシタ５に蓄積されている電荷に基づいて動作をすることが可能になっている。このため、入力キャパシタ５に蓄積された電荷により電源制御部８はパルス状の電圧を出力し、この電圧が平滑化されて負荷２に入力される。つまり、接続制御部１３が第１スイッチ４をオフにした時点で直ちに電源装置１がオフになるのではなく、時間Ｔ１の経過後に初めて電源装置１がオフになる。
【００７１】
従って、入力キャパシタ５に蓄積されていた電荷は平滑回路９の平滑キャパシタ２５に移行されることになる。時間Ｔ１は入力キャパシタ５に蓄積された電荷が平滑キャパシタ２５に完全に移行されるまでに要する時間として設定しており、これにより平滑キャパシタ２５への電荷の移行が完了したとき（つまり、時間Ｔ１が経過後）に、イネーブル信号はディゼーブルレベルに変化する。イネーブル信号の変化に伴って、第２スイッチ１０は可変容量部１２に接続を切り替える。
【００７２】
そして、入力キャパシタ５から平滑キャパシタ２５に移行した電荷は可変容量部１２に保存される。このときには、並列に接続される保存キャパシタ３１に電荷が保存される。第１スイッチ４をオンにして電源装置１をオフからオンにする場合には、接続制御部１３が第１スイッチ４をオンにする。これにより、イネーブル信号がイネーブルレベルに変化し、第３スイッチ１１がオンになることから、平滑キャパシタ２５と可変容量部１２とが接続される。そして、各保存キャパシタ３１は直列接続されていることから、保存した電荷を平滑キャパシタ２５に戻すことができるようになる。
【００７３】
従って、第１スイッチ４を制御することにより、電源装置１をオンとオフとに切り替えるような場合には、入力キャパシタ５に蓄積されていた電荷を平滑キャパシタ２５に移行し、可変容量部１２に保存した後に平滑キャパシタ２５に戻すことができるようになる。これにより、突入電流を低減させることができ、もって消費電力の削減を図ることができるようになる。
【００７４】
以上説明してきたように、入力キャパシタや平滑キャパシタ等のキャパシタを備えた電源装置をオンとオフとに切り替えて消費電力の低減を図るような場合には、電源装置をオフにしたときにキャパシタに蓄積された電荷が無駄に消費される。これにより、キャパシタを充電するための突入電流がオフからオンに切り替える毎に必要になるため、消費電力の大きな損失を招来する。
【００７５】
つまり、図１のような構成に限らず、キャパシタを備えた電源装置に本発明を適用することができる。例えば、ＡＣ・ＤＣコンバータのような場合には、交流成分の電圧を直流成分の電圧に変換するために整流回路や平滑回路が必要になるが、平滑回路が備えるキャパシタに蓄積される電荷を保存することで、突入電流を低減することができるようになる。
【００７６】
ここで、入力キャパシタ５および平滑キャパシタ２５はグランドに接地されている。そこで、各キャパシタのグランドと反対側にスイッチを設けて、電源装置１をオフにするのと連動して当該スイッチをオフにすることにより、電荷の保存をすることもできる。つまり、当該スイッチをオフにすることにより、キャパシタを完全に独立した状態で切り離すことができる。これにより、キャパシタに蓄積された電荷を保存することができる。
【００７７】
しかし、この場合には、１つのキャパシタに集中して電荷が蓄積された状態になっており、当該キャパシタは非常に高い電圧を保持した状態になる。これにより、電源装置のうちのキャパシタの箇所のみが他の部位に比べて電圧が極端に高いものとなる。そして、このキャパシタに誤接触等をすると、電源装置を操作する操作者が感電し、或いは他の箇所に悪影響を及ぼすおそれもある。
【００７８】
本発明では、電荷を保存するときには、可変容量部１２のＮ個の保存キャパシタ３１は並列接続された状態になっており、Ｎ個の保存キャパシタ３１に分散して電荷を保存している。このため、１つの保存キャパシタ３１の電圧は、１つの平滑キャパシタ２５に電荷を集中して保存する場合と比べて、１／Ｎになる。つまり、極めて低い電圧を維持して電荷を保存している。従って、感電や悪影響といった危険性は前記の場合と比べて遥かに少ないものとなる。
【００７９】
次に、変形例について図３を用いて説明する。前述した実施形態では、可変容量部１２に保存した電荷は平滑キャパシタ２５に戻すことができるが、入力キャパシタ５に戻すことはできない。本変形例では、可変容量部１２に入力キャパシタ５および平滑キャパシタ２５の電荷を保存し、保存した電荷を入力キャパシタ５および平滑キャパシタ２５に戻すようにしている。
【００８０】
図３に示すように、新たにダイオード２６を追加している。このダイオード２６は電源制御部８の入力端８Ａと出力端８Ｂとを直接的に接続するような経路上に設けられており、出力端８Ｂから入力端８Ａに向けては電流を流すが、逆方向には電流を流さないようにしている。また、第３スイッチ１１を設けていない。
【００８１】
そして、接続制御部１３は第１スイッチ４と第２スイッチ１０と可変容量部１２の各接続変更スイッチ３２との制御を行うようにしている。さらに、可変容量部１２の各保存キャパシタ３１の静電容量は全体で、入力キャパシタ５や平滑キャパシタ２５に蓄積された電荷を保存可能な静電容量を持たせておくようにしている。
【００８２】
この場合において、電源装置１をオンにした状態で負荷２に電圧の入力を行う。次に、電源装置１をオフにすべく、接続制御部１３は第１スイッチ４をオフにし、同時に第２スイッチ１０を可変容量部１２に切り替える。そして、可変容量部１２の各接続変更スイッチ３２を制御して、各保存キャパシタ３１を並列接続させる。
【００８３】
第１スイッチ４がオフになってから時間Ｔ１の間はイネーブル信号がイネーブルレベルを維持するため、これにより電源制御部８は動作を継続する。このとき、平滑キャパシタ２５は可変容量部１２に接続されていることから、平滑キャパシタ２５に蓄積されていた電荷は各保存キャパシタ３１に保存される。
【００８４】
そして、入力キャパシタ５に蓄積されていた電荷は電源制御部８から出力されるパルス状の電圧となって、平滑キャパシタ２５に蓄積される。そして、平滑キャパシタ２５に蓄積された電荷は可変容量部１２に移行されて保存される。つまり、もともと平滑キャパシタ２５に蓄積されていた電荷はそのまま可変容量部１２に保存され、入力キャパシタ５に蓄積されていた電荷は平滑キャパシタ２５を経由して可変容量部１２に保存される。
【００８５】
以上により、入力キャパシタ５および平滑キャパシタ２５に蓄積されていた電荷が可変容量部１２に保存される。次に、電源装置１をオフからオンにするときには、可変容量部１２が保存している電荷を入力キャパシタ５および平滑キャパシタ２５に戻すようにする。
【００８６】
このために、接続制御部１３は可変容量部１２の各保存キャパシタ３１が直列接続されるように各接続変更スイッチ３２を切り替えると共に、所定時間Ｔ３の間は第２スイッチ１０を可変容量部１２に接続し、第１スイッチ４はオフの状態を維持させるようにしている。この時間Ｔ３は可変容量部１２が保存している電荷を入力キャパシタ５および平滑キャパシタ２５に戻すために必要な時間に設定している。
【００８７】
可変容量部１２が保存している電荷は平滑キャパシタ２５に戻される。ただし、可変容量部１２は入力キャパシタ５の電荷も保存していることから、平滑キャパシタ２５に全ての電荷を戻しても、なお余剰の電荷を戻すことが可能になる。この余剰の電荷は、可変容量部１２から電源制御部８に向かって流れる電流になる。
【００８８】
電源制御部８には第１のＦＥＴ２１があるため、本来的には出力端８Ｂから入力端８Ａに向かって電流が流れることはないが、出力端８Ｂと入力端８Ａとを結ぶ経路にダイオード２６を設けていることから、出力端８Ｂから入力端８Ａに向かって電流が流れる。そして、第１スイッチ４はオフであることから、電流は入力キャパシタ５に向かって流れ、入力キャパシタ５が充電される。
【００８９】
これにより、可変容量部１２で保存した電荷は平滑キャパシタ２５だけではなく、入力キャパシタ５にも戻すことが可能になる。そして、接続制御部１３は時間Ｔ３の経過後に第１スイッチ４をオンにし、第２スイッチ１０を負荷２に接続することにより、再び負荷２に電圧を入力することができるようになる。
【００９０】
このときには、平滑キャパシタ２５は充電が完了されており、入力キャパシタ５もある程度の充電がされていることから、突入電流を非常に少ないものとすることができるようになる。
【００９１】
以上のように、電源装置１に複数のキャパシタが備えられており、キャパシタと可変容量部との間、或いはキャパシタ間に電荷を元に戻すための電流を阻害する他の回路（第１のＦＥＴ２１等）が設けられていることにより、各キャパシタからは可変容量部に電荷の保存をすることができるが保存した電荷を戻すことができない場合であっても、電荷を戻すための経路にダイオードを設けることにより、保存した電荷を戻すことができるようになる。
【００９２】
次に、応用例について説明する。以上の電源装置１は図４に示すような半導体試験装置に適用することができる。この半導体試験装置は、電源モジュール４１とテストヘッド４２とテスタコントローラ４３とプローバ４４とを備えて概略構成しており、被試験デバイスである半導体ウェハＷの試験を行う。電源モジュール４１は電源供給部４５を有しており、テストヘッド４２に電源を供給する。
【００９３】
テストヘッド４２は複数のＰＥ（ピンエレクトロニクス）カード４６を備えている。ＰＥカード４６は試験対象である半導体ウェハＷに対して電源や信号を入力して試験を行う試験部になる。そして、各ＰＥカード４６には前述してきた電源装置１がそれぞれ備えられており、半導体ウェハＷに対して電圧を入力して試験を行う。テスタコントローラ４３は各ＰＥカード４６の制御やプローバ４４を介して半導体ウェハＷから所定の情報を入力する。
【００９４】
プローバ４４は半導体ウェハＷに接触して電源や信号の授受を行うための装置であり、各ＰＥカード４６はプローバ４４を介して半導体ウェハＷに電圧を入力して試験を行う。そして、半導体ウェハＷは図４にも示しているように、複数の半導体チップＣＰが配列された構成となっており、概略円形の半導体ウェハＷに半導体チップＣＰが縦横にマトリクス状に配列されている。
【００９５】
以上において、テストヘッド４２には複数のＰＥカード４６が備えられていることから、複数の半導体チップＣＰを同時に試験することが可能になっている。例えば、５つのＰＥカード４６が備えられている場合には、５つの半導体チップＣＰを試験することが可能になる。
【００９６】
ただし、複数の半導体チップＣＰを同時に試験する場合には、プローバ４４の構成から同時に試験を行う半導体チップＣＰは１列に並んでいることが条件になる。つまり、異なる列にある半導体チップＣＰを同時に試験することはできない。例えば、１列に１６個の半導体チップＣＰが並んでいるとすると、５台のＰＥカード４６が３回の試験を行うことにより、１５個の半導体チップＣＰの試験を行うことができる。しかし、残りの１個の半導体チップＣＰについては、５台のＰＥカード４６のうち１台のＰＥカード４６のみを用いて試験を行なうことになる。
【００９７】
この場合には、残り４台のＰＥカード４６は停止させることになる。これに伴い、電源装置１をオンからオフにする必要がある。ＰＥカード４６には前述した電源装置１が搭載されており、電源装置１をオフにするときには、平滑キャパシタ２５或いは平滑キャパシタ２５と入力キャパシタ５との両方に蓄積されている電荷は可変容量部１２に保存される。
【００９８】
そして、次の列の半導体チップＣＰの試験を行うときには、停止状態になっていた４台のＰＥカード４６を再び稼動状態に戻して試験を行うため、電源装置１をオンにする。このときに、可変容量部１２から元のキャパシタに電荷を戻すことにより、突入電流を低減させることができるようになる。
【００９９】
半導体ウェハＷには多数の半導体チップＣＰが設けられており、円形のウェハの中に形成される半導体チップＣＰの列も多数になる。このため、１枚の半導体ウェハＷの試験を行うためには、電源装置１をオンとオフとの切り替えが頻繁に繰り返されるため、その都度キャパシタに蓄積されていた電荷を損失すると、膨大な電力の損失を招く。本発明では、電荷を保存して戻していることから、このような場合であっても、突入電流を低減させることができ、消費電流を大幅に節約することができる。
【０１００】
以上は半導体ウェハＷを試験する半導体試験装置に適用した例について説明したが、キャパシタを搭載した電源装置を搭載する任意の装置に適用することができる。
【符号の説明】
【０１０１】
１    電源装置            ２    負荷
４    第１スイッチ            ５    入力キャパシタ
６    イネーブル信号出力部        ７    クロック信号出力部
８    電源制御部            ９    平滑回路
１０    第２スイッチ            １１    第３スイッチ
１２    可変容量部            １３    接続制御部
２４    チョークコイル            ２５    平滑キャパシタ
２６    ダイオード            ３１    保存キャパシタ
３２    接続変更スイッチ
【図１】
2011097799.tif 000003
【図２】
2011097799.tif 000004
【図３】
2011097799.tif 000005
【図４】
2011097799.tif 000006
【図５】
2011097799.tif 000007